(57)【要約】【課題】単リール型のテープカートリッジにおいて、塵埃や異物がローディング開口を介してケース内部へ入り込むのを防止し、塵埃などが付着したテープ部品がテープドライブの内部へローディングされるのを解消する。【解決手段】ケース本体１の隅部にリーダーブロック４を出し入れ操作するためのローディング口５を設け、その内部下壁にテープドライブ側の捕捉ピンＰの出入りを許す切欠３２を形成する。ローディング口５は、ばね３９で閉じ勝手に揺動付勢されたドア６で閉止する。ドア６は、ドア主壁３５と翼壁３６とを含んで構成する。ドア６を閉じた状態においては、ドア主壁３５がローディング口５の周側開口を塞ぎ、翼壁３６が切欠３２を塞ぐので、ローディング口５の開口の全てをドア６で閉止して、塵埃の侵入を確実に阻止できる。【選択図】　　　　図１
2004039167.tif 000002
【特許請求の範囲】
【請求項１】
ケース本体の隅部に、テープの繰り出し端に固定したリーダーブロックを出し入れ操作するためのローディング口が設けらており、
前記ローディング口は、前記ケース本体に開閉可能に軸支されて、ばねで閉じ勝手に揺動付勢されたドアで閉止することができ、
前記ローディング口に臨むケース本体の少なくとも下壁に、テープドライブ側の捕捉ピンの出入りを許す切欠が形成されており、
前記ドアが、前記ローディング口の周側開口を覆うドア主壁と、前記切欠を塞ぐ翼壁とを含んでいる単リール型のテープカートリッジ。
【請求項２】
前記ローディング口に臨む前記ケース本体の上下壁に、それぞれ不使用時の前記リーダーブロックを所定の待機姿勢に位置保持する受座と、前記リーダーブロックを係止保持する弾性腕とが設けてある請求項１記載の単リール型のテープカートリッジ。
【請求項３】
前記ドア主壁の内面に、前記受座と協同して前記リーダーブロックを保持固定する押え突起が設けてある請求項２記載の単リール型のテープカートリッジ。
【発明の詳細な説明】
【０００１】
【発明の属する技術分野】
本発明は、ケース内部に磁気テープを巻き取るリールが１個収容してある単リール型のテープカートリッジ、なかでもローディング口が揺動開閉できるドアで覆われるテープカートリッジ関する。
【０００２】
【従来の技術】
この種のテープカートリッジは、例えば特開平１１−７７４８号公報に見ることができる。そこでは、ケース本体の前隅に設けたローディング口を、揺動開閉可能に軸支したドアで塞いでいる。ローディング口の内部には、テープをケース外へ引き出し操作するためのリーダーブロックが収容されている。ドアは、ケース本体の隅部周側面を覆う状態で断面Ｌ字状に形成してあり、その内面上下にケース本体の上下壁と係合して、ドアを閉じ状態に保持する弾性爪を設けてある。この弾性爪をテープドライブの解除ピンで係合解除操作すると、ドアを開放操作できる。
【０００３】
【発明が解決しようとする課題】
上記のように、ローディング口がドアで塞がれるようにしたテープカートリッジによれば、ローディング口から異物や塵埃がケース本体内へ入り込むのをよく防止できる。しかし、ドアを閉じた状態において、ローディング口の上面は上ケースの上壁で覆われているものの、ローディング口の下面は、リーダーブロックを捕捉する必要上、開口状態のままになっている。そのため、ローディング口の底開口から異物や塵埃がケース本体内へ入り込みやすく、この点に改良の余地があった。
【０００４】
ローディング口内へ入り込んでリーダーブロックやリーダーテープに付着した塵埃は、いずれテープドライブ内へ引き込まれてローディング機構や磁気ヘッドに付着し故障の原因となる。また、テープカートリッジが落下衝撃を受けるような場合に、リーダーブロックが所定の待機位置から脱落し、先の底開口からケース外に臨んでいることがあり、そのことに気付かないまま使用すると、テープドライブのローディング機構が故障するおそれがある。
【０００５】
本発明の目的は、ドアを閉じた状態において、ローディング口の周側面はもちろんのこと、上下の開口や切欠を確実に閉止し、収納保存時や仮置き状態においてローディング口から異物や塵埃がケース本体内へ入り込むのを確実に防止できる単リール型のテープカートリッジを提供することにある。
【０００６】
本発明の目的は、不使用状態のリーダーブロックを確実に保持固定でき、従ってテープカートリッジが落下衝撃を受けるような場合にも、リーダーブロックが所定の待機位置からずれ動いたり、あるいは脱落したりするのを解消できる単リール型のテープカートリッジを提供することにある。
【０００７】
【課題を解決するための手段】
本発明のテープカートリッジでは、図１に示すごとくケース本体１の隅部に、テープ３の繰り出し端に固定したリーダーブロック４を出し入れ操作するためのローディング口５が設けられている。ローディング口５は、ケース本体１に開閉可能に軸支されて、ばね３９で閉じ勝手に揺動付勢されたドア６で閉止することができる。ローディング口５に臨むケース本体１の少なくとも下壁には、テープドライブ側の捕捉ピンＰの出入りを許す切欠３２が形成されている。そのうえで、ドア６は、ローディング口５の周側開口を覆うドア主壁３５と、切欠３２を塞ぐ翼壁３６とを含んでいる。
【０００８】
具体的には、ローディング口５に臨むケース本体１の上下壁に、それぞれ不使用時のリーダーブロック４を所定の待機姿勢に位置保持する受座２８と、リーダーブロック４を係止保持する弾性腕２９とが設けられている。
【０００９】
ドア主壁３５の内面には、前記受座２８と協同してリーダーブロック４を保持固定する押え突起４５が設けられている。
【００１０】
【発明の作用効果】
本発明では、ケース本体１に設けたローディング口５が、ばね３９で閉じ勝手に揺動付勢したドア６で閉止されるので、不使用状態においてローディング口５はドア６で確実に閉じておくことができる。しかも、ドア６がドア主壁３５と翼壁３６とを含んでいるので、ローディング口５の周側開口をドア主壁３５で閉止し、さらにテープドライブ側の捕捉ピンＰの出入りを許すために設けた切欠３２を翼壁３６で閉止して、不使用状態におけるローディング口５に臨む開口の全てを塞いでおくことができる。従って、異物や塵埃がローディング口５を介してケース内へ侵入するのを確実に防止でき、リーダーブロック４やテープ３に塵埃が付着した状態のままでテープカートリッジが使用に供されるのを一掃できる。
【００１１】
ローディング口５に臨むケース本体１の上下壁に、それぞれ受座２８と弾性腕２９とを設けて、不使用時のリーダーブロック４を受座２８で所定の待機姿勢に位置保持し、さらに弾性腕２９で係止保持すると、テープカートリッジが床面に落下して衝撃を受けるような場合にも、リーダーブロック４が所定の待機位置からずれ動いたり、あるいは脱落したりするのを防止して、リーダーブロック４を常に適正な待機姿勢に保持し続けることができる。
【００１２】
ドア主壁３５の内面に、受座２８と協同してリーダーブロック４を保持固定する押え突起４５が設けられているテープカートリッジによれば、押え突起４５によってリーダーブロック４がドア６側へ倒れこむのを阻止できるので、落下衝撃などによるリーダーブロック４のずれ動きや脱落をさらに確実に解消できる。更に、外部からの衝撃をうけてドア６が開きかけたとしても、外力の開放と同時にドア６をばね３９で閉じ状態に復帰させ、同時に押え突起４５でリーダーブロック４を待機位置へ押し戻し操作できる。
【００１３】
【実施例】
図１ないし図６は本発明に係る単リール型のテープカートリッジの実施例を示す。図２において磁気テープカートリッジは、上下ケース１ａ・１ｂを接合してなる角箱状のケース本体１の内部に一個のリール２を収容してあり、このリール２にテープ３が巻装されている。テープ３の繰り出し端には、テープ３を引き出し操作するリーダーブロック４を固定してある。このリーダーブロック４を出し入れするために、ケース本体１の前部左隅にローディング口５が開口しており、このローディング開口５は揺動自在なドア６で開閉できる。
【００１４】
図３においてリール２は、テープ３を巻き取るためのボスが一体に設けてある下フランジ１０と、ボスの上端に溶着した上フランジ１１とからなる。不使用時のリール２の遊動を規制してテープたるみを防ぐために、前記ボスの底壁と上ケース１ａとの間には不使用時のリールの遊転を阻止するリールロック機構を有する。
【００１５】
リールロック機構は、ボスの底壁周縁寄りに設けた第１ギヤ１２と、第１ギヤ１２に噛み合うロック体１３と、ロック体１３を押し下げ付勢する圧縮コイル形のばね１４と、上ケース１ａの内面から一体に突設されてロック体１３のボス部１５に嵌係合する断面非円形のロック軸１６とからなる。
【００１６】
ロック体１３は円盤状のベース部を有し、ベース部の下面周縁に第１ギヤ１２と係合する第２ギヤ１７を周回状に形成し、ベース部の下面中央にはテープドライブの駆動軸で突き上げられる座部１８が突設されている。ボス部１５は断面長円状の筒壁からなる。ロック軸１６をボス部１５内に嵌合することにより、ロック体１３を上下スライドは自在であるが、周方向へは回転不能に保持できる。
【００１７】
テープドライブの駆動軸の回転動力を受け継ぐために、リール２のボス底壁の下面周縁にはギヤ歯２０を設け、ギヤ歯２０の内側に前記磁石で吸着される吸着板２１が設けられている。ボス底壁の中央には、先のロック体１３をばね１４に抗して押し上げ操作する、ロック解除ピン用の挿入口２２が上下貫通状に設けてある。
【００１８】
リーダーブロック４は、突端寄りにテープドライブの捕捉ピンＰ（図１参照）を係合連結するための連結溝２４が設けられた長方形状のプラスチック成形品からなり、その基端部寄りにはテープ３の繰り出し端がピン２５で固定してある。
【００１９】
図２においてローディング口５は、ケース本体１の前壁の隅寄り部に開口してあり、その左右端がケース側壁２６とケース前壁２７とで区切られている。不使用時のリーダーブロック４を待機姿勢に位置保持するために、ローディング口５に臨むケース本体１の上下壁には、それぞれ受座２８と、リーダーブロック４を係止保持する弾性腕２９とを設ける。
【００２０】
図１において受座２８は、ケース本体１の上下壁の内面に設けられて直交するリブ２８ａ・２８ｂでＬ字状に形成してあり、想像線で示すようにリーダーブロック４の隣接する短辺部と長辺部の上下端を受け止める。
【００２１】
弾性腕２９はケース本体１の上下壁にＵ字状の溝をくりぬいて片持ち梁状に形成してあり、その遊端寄りにリーダーブロック４の側縁に接する部分球面状の突起３０を設けてある。リーダーブロック４を受座２８から出し入れするとき、弾性腕２９は上下壁の厚み方向に弾性変形してリーダーブロック４の通過を許す。
【００２２】
受座２８に臨むケース本体１の下壁には、テープドライブの捕捉ピンＰの出入りを許す切欠３２が形成されている。この切欠３２はローディング口５の下壁前縁からケース内部へ向かってＶ字状に形成してあり、リーダーブロック４を受座２８で待機姿勢に位置保持した状態において、連結溝２４の真下に切欠３２の奥端が位置する。図４に示すようにケース本体１の上壁にも同様の切欠３３を設けてある。
【００２３】
図１および図４においてドア６は、ローディング口５の前面開口（周側開口）を覆うドア主壁３５と、ドア主壁３５の先端上下に張り出し形成されて先の切欠３２・３３を塞ぐ上下一対の翼壁３６とを一体に備えている。
【００２４】
ドア主壁３５の基端の上下に舌片３７を設け、この舌片３７を上ケース１ａに設けた支軸３８で軸支することにより、ドア６の全体が揺動開閉自在に支持され、支軸３８に外嵌する捻りコイル形のばね３９で閉じ勝手に付勢してある。ばね３９の両端のばね腕は、それぞれドア主壁３５の内面とケース側壁２６の外面とに当てがう。支軸３８の下端は下ケース１ｂに設けたボス４０で受け止める。
【００２５】
ドア６を閉じた状態において、上下の翼壁３６と切欠３２・３３の接合隙間を介して塵埃が入り込む可能性がある。このような塵埃の侵入を防ぐために、図５に示すように翼壁３６の周縁内面に段違い状の接合面４２を設け、切欠３２・３３に先の接合面４２を受け止める受面４３が設けられている。
【００２６】
上記構成のテープカートリッジによれば、ドア６を閉じた状態においてローディング口５の前面開口をドア主壁３５で閉止でき、上下の切欠３２・３３のそれぞれを翼壁３６で閉止できるので、テープカートリッジを保管し、あるいは仮置きした状態において、塵埃がローディング口５を介してケース内部に入り込む余地はない。従って、ケース内に収容された部品などへの塵埃の付着や体積を確実に防止できる。
【００２７】
また、図６に示すように不使用時のリーダーブロック４を受座２８で受け止めて待機姿勢に位置保持したうえで、その側縁上下を弾性腕２９で係止保持するので、テープカートリッジが床面へ落下して大きな衝撃を受ける場合にても、リーダーブロック４が待機位置からずれ動くのをよく防止できる。リーダーブロック４が所定の待機位置からずれ動くことがあったとしても、ローディング口５に臨む全ての開口がドア６で塞いであるので、リーダーブロック４が待機位置から横倒し状に脱落するのを防止できる。
【００２８】
図７は本発明の別実施例を示す。そこではドア主壁３５の内面に押え突起４５を設け、ドア６を閉じた状態において押え突起４５の突端がリーダーブロック４の外側面に外接することにより、押え突起４５と受座２８とが協同してリーダーブロック４を保持固定できるようにしてある。他は先の実施例と同じであるので、同じ部材に同じ符号を付してその説明を省略する。
【００２９】
上記以外にローディング口５は、ケース本体１のケース側壁２６からケース前壁２７にわたって開口することができ、その場合にはドア主壁３５を断面Ｌ字状に形成して、ローディング口５の側面および前面の周側開口をドア６で覆うことができる。上ケース１ａの側の切欠３３は省略してもよく、その場合のドア６は下側の翼壁３６を備えているだけでよい。
【図面の簡単な説明】
【図１】ローディング開口の周辺構造を示す横断平面図である。
【図２】テープカートリッジの内部平面図である。
【図３】図２におけるＡ−Ａ線断面図である。
【図４】ローディング開口の周辺構造を示す分解斜視図である。
【図５】図２におけるＢ−Ｂ線断面図である。
【図６】図２におけるＣ−Ｃ線断面図である。
【図７】ドアの別実施例を示す断面図である。
【符号の説明】
１　ケース本体
３　テープ
４　リーダーブロック
５　ローディング口
６　ドア
２８　受座
２９　弾性腕
３２　切欠
３５　ドア主壁
３６　翼壁
３９　ばね
４５　押え突起
Ｐ　捕捉ピン
【図１】
2004039167.tif 000003
【図２】
2004039167.tif 000004
【図３】
2004039167.tif 000005
【図４】
2004039167.tif 000006
【図５】
2004039167.tif 000007
【図６】
2004039167.tif 000008
【図７】
2004039167.tif 000009